(57)【要約】【課題】携帯端末機の操作部を操作しやすく且つ表示部を見やすい状態で携帯端末機を載置することができるクレードル装置を提供すること。【解決手段】携帯端末機８１は、表示部８４を前面に有した上筐体８１と、操作部８５を前面に有した下筐体８２と、上筐体の８１下端部と下筐体８２の上端部を連結し、下筐体８２に対して上筐体８１を回動可能にしたヒンジ部８３とを具備する。クレードル装置１の台本体１５の上面には、凹面状の受け部２が形成されている。受け部２の前側には、係止部３，４が形成され、受け部２の後ろ側には、ストッパ９，１０が凸設されている。携帯端末機８１を倒伏した状態で受け部２に載置すると、係止部３，４が下筐体８２の下端部に係止し、ストッパ９，１０がヒンジ部８３の隙間９５に挿入される。下筐体８２に対して上筐体８１を開くと、ストッパ９，１０に上筐体８１が当接し、上筐体８１の開きがその半開状態で規制される。【選択図】図３
2006148544.tif 000002
【特許請求の範囲】
【請求項１】
表示部を前面に有した上筐体と、操作部を前面に有した下筐体と、前記上筐体の下端部と前記下筐体の上端部を連結し、前記下筐体に対して上筐体を閉じた状態と全開した状態とに回動可能にしたヒンジ部とを有する携帯端末機が載置される台本体を備えるクレードル装置において、
前記下筐体の背面に対面した状態で前記下筐体の背面を受ける受け部が前記台本体の上面に形成され、
前記下筐体の下端部に係止する係止部が前記受け部の前側に設けられ、
前記上筐体を閉じた状態と全開した状態の間の半開状態で前記上筐体の開きを規制する規制部が前記受け部の後ろ側に設けられていることを特徴とするクレードル装置。
【請求項２】
前記下筐体の背面側で開口するとともに前記ヒンジ部の外角側において前記上筐体の下端面と前記下筐体の上端面とに挟まれた隙間が前記ヒンジ部に形成され、
前記規制部が前記隙間に挿入されることを特徴とする請求項１に記載のクレードル装置。
【請求項３】
前記隙間において前記下筐体の上端面に係止する別の係止部が前記受け部の後ろ側に設けられていることを特徴とする請求項２に記載のクレードル装置。
【請求項４】
前記規制部が前記下筐体に対して前記上筐体を後傾した状態で規制することを特徴とする請求項１から３の何れか一項に記載のクレードル装置。
【発明の詳細な説明】
【技術分野】
【０００１】
本発明は、携帯端末機を載置するクレードル装置に関する。
【背景技術】
【０００２】
近年、折り畳み型携帯電話機に代表されるように、二つの筐体をヒンジ部によって回動可能に連結した折り畳み型携帯端末機が広く利用されている（例えば、特許文献１参照。）。このような折り畳み型携帯端末機においては、二つの筐体を閉じた状態では、一方の筐体の前面に設けられた表示部が他方の筐体の前面に設けられた操作部に対面し、一方の筐体の前面と他方の筐体の前面のなす角がほぼゼロ°になる。一方、二つの筐体を全開した状態では、一方の筐体の前面と他方の筐体の前面とのなす角はほぼ１８０°になる。
【０００３】
一方、携帯端末機を載置するためのクレードル装置が実用化されており、携帯端末機の二次電池に充電したり、携帯端末機をパーソナルコンピュータと接続してデータ通信をしたりするためにクレードル装置が用いられている。そのため、クレードル装置には充電用端子やデータ通信用コネクタが設けられており、ユーザが携帯端末機をクレードル装置に載置すると、端子やコネクタが携帯端末機に接続して、充電やデータ通信が可能となる（例えば、特許文献１参照。）。
【特許文献１】特開２００３−３１９０４８号公報
【発明の開示】
【発明が解決しようとする課題】
【０００４】
ところで、クレードル装置を卓上に置き、そのクレードル装置によって折り畳み型携帯端末機に充電しながら、その携帯端末機を使用するためには、クレードル装置に載置された携帯端末機を開く必要がある。携帯端末機の下筐体に対して上筐体を開き、下筐体の背面を下にしてクレードル装置に載置すると、下筐体の前面が上を向いているため、操作部の操作をユーザにとって容易に行うことができる。ところが、上筐体の前面も上を向いているため、ユーザにとって表示部が見えにくくなり、特に表示部が液晶ディスプレイパネルである場合には、視野角の都合上、表示部の表示内容が見えないこともある。
【０００５】
そこで、本発明は、携帯端末機の操作部を操作しやすく且つ表示部を見やすい状態で携帯端末機を載置することができるクレードル装置を提供することを目的とする。
【課題を解決するための手段】
【０００６】
以上の課題を解決するために、請求項１に係る発明は、表示部を前面に有した上筐体と、操作部を前面に有した下筐体と、前記上筐体の下端部と前記下筐体の上端部を連結し、前記下筐体に対して上筐体を閉じた状態と全開した状態とに回動可能にしたヒンジ部とを有する携帯端末機が載置される台本体を備えるクレードル装置において、前記下筐体の背面に対面した状態で前記下筐体の背面を受ける受け部が前記台本体の上面に形成され、前記下筐体の下端部に係止する係止部が前記受け部の前側に設けられ、前記上筐体を閉じた状態と全開した状態の間の半開状態で前記上筐体の開きを規制する規制部が前記受け部の後ろ側に設けられていることを特徴とする。
【０００７】
請求項１に係る発明によれば、台本体の上面に設けられた受け部に下筐体の背面が対面した状態でその受け部に受けられるから、下筐体の操作部を上に向けた状態で携帯端末機を台本体に載置することができる。受け部の後ろ側に設けられた規制部によって上筐体の開きが閉じた状態と全開状態の間の半開状態で止められるから、上筐体の表示部を前に向けた状態で携帯端末機を台本体に載置することができる。そのため、携帯端末機を台本体に載置した状態でも、ユーザにとって操作部を操作しやすく、表示部を見やすい。
【０００８】
また、受け部の前側に設けられた係止部に下筐体の下端部が係止されるから、台本体に携帯端末機を載置した状態で上筐体を開いても、受け部から下筐体が外れにくい。
【０００９】
請求項２に係る発明は、請求項１に記載のクレードル装置において、前記下筐体の背面側で開口するとともに前記ヒンジ部の外角側において前記上筐体の下端面と前記下筐体の上端面とに挟まれた隙間が前記ヒンジ部に形成され、前記規制部が前記隙間に挿入されることを特徴とする。
【００１０】
請求項２に係る発明によれば、ヒンジ部の外角側において上筐体の下端面と下筐体の上端面とに挟まれた隙間は、下筐体に対して上筐体が開くにつれて狭くなるが、その隙間に規制部が挿入されれば、上筐体を半開状態で止めることができる。
【００１１】
請求項３に係る発明は、請求項２に記載のクレードル装置において、前記隙間において前記下筐体の上端面に係止する別の係止部が前記受け部の前側に設けられていることを特徴とする。
【００１２】
請求項３に係る発明によれば、係止部が下筐体の下端部に係止し、別の係止部が下筐体の上端面に係止するから、台本体に携帯端末機を載置した状態で上筐体を開いても、受け部から下筐体が外れにくい。
【００１３】
請求項４に係る発明は、請求項１から３の何れか一項に記載のクレードル装置において、前記規制部が前記下筐体に対して前記上筐体を後傾した状態で止めることを特徴とする。
【００１４】
請求項４に係る発明によれば、規制部によって上筐体が下筐体に対して後傾した状態で止められるから、操作部が上を向き、上筐体の表示部が前に向いた状態とすることができる。そのため、台本体に載置された携帯電話機の操作部を操作しやすく、表示部を見やすい。
【発明の効果】
【００１５】
本発明によれば、携帯端末機をクレードル装置の台本体に載置した状態であっても、下筐体に対して上筐体を開いて、下筐体の操作部を操作しやすく、上筐体の表示部を見やすい。
【発明を実施するための最良の形態】
【００１６】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１７】
図１は、クレードル装置１及び携帯端末機８０を示した斜視図である。図１に示すように、携帯端末機８０がクレードル装置１の台本体１５上に載置されている。
【００１８】
携帯端末機８０について図２を用いて説明する。ここで、図２（ａ）は携帯端末機８０の正面図であり、図２（ｂ）は携帯端末機８０の側面図であり、図２（ｃ）は携帯端末機８０の背面図である。
【００１９】
この携帯端末機８０は折り畳み型の携帯電話機であり、上筐体８１の下端部がヒンジ部８３によって下筐体８２の上端部に連結されている。ヒンジ部８３の軸受部９０が上筐体８１の下部前面から前方へ凸設され、下筐体８２の上部には矩形切欠き状の軸受収納部８９が形成され、軸受収納部８９に軸受部９０が挿入されている。ヒンジ部８３は左右方向を軸方向としており、ヒンジ部８３の軸９４が軸受部９０及び下筐体８２に連結している。上筐体８１はヒンジ部８３の軸９４を中心にして下筐体８２に対して回動可能となっている。ここで、軸受部９０の外面下側が上筐体８１の下端面の一部となっており、軸収納部８９の壁面が下筐体９２の上端面の一部となっている。なお、図２（ｂ）においては、下筐体９２の上端部が一部破断して示されている。
【００２０】
下筐体８２に対して上筐体８１を閉じた状態では、下筐体８２の前面が上筐体８１の前面に対面し、上筐体８１の前面と下筐体８２の前面のなす内角はほぼゼロ°になる。一方、下筐体８２に対して上筐体８１を全開した状態では、上筐体８１の前面と下筐体８２の前面とのなす内角は９０°を越え１８０°以下になる。
【００２１】
軸受収納部８９には、下筐体８２の背面側で開口した隙間９５が形成され、隙間９５はヒンジ部８３の外角側において上筐体８１の下端面（軸受部９０の外面）と下筐体９２の上端面（軸受収納部８９の壁面）とに挟まれている。上筐体８１が閉じた状態では隙間９５が最も大きく、上筐体８１が開くにつれてその隙間９５が軸受部９０によって狭くなり、上筐体８１が全開した状態ではその隙間９５が軸受部９０によってほぼ塞がれている。
【００２２】
軸受収納部８９の壁面には、係止溝９１が凹設されている。その係止溝９１は隙間９５を通じて下筐体８２の背面側において露出している。
【００２３】
上筐体８１の前面には、液晶ディスプレイパネル又はエレクトロルミネッセンスディスプレイパネルを有する表示部８４が設けられ、下筐体８２の前面には、複数の押釦を有するキー操作部８５が設けられている。
【００２４】
下筐体８２の背面には電池収納部が凹設され、その電池収納部に電池パック８６が装着され、電池パック８６が下筐体８２に対して着脱可能となっている。この電池パック８６は充電可能な二次電池を有する。
【００２５】
電池パック８６の表面には、充電用の端子８７，８８が左右に間隔をあけて形成されている。下筐体８２に電池パック８６が装着された状態では、下筐体８２の背面がなだらかな凸面状となっている。一方、上筐体８１の背面もなだらかな凸面状となっている。
【００２６】
下筐体８２の背面の下側縁部には、係止凹部９２，９３が左右に間隔をあけて形成されている。
【００２７】
クレードル装置１について図３〜図５を用いて説明する。図３は左斜め前の上から見た場合のクレードル装置１の斜視図であり、図４は左斜め後ろの上から見た場合のクレードル装置１の斜視図であり、図５は左から見たクレードル装置１の縦断面図である。
【００２８】
クレードル装置１の樹脂製の台本体１５は前側が低く且つ後ろ側が高くなるよう設けられている。台本体１５の上面には受け部２が凹設され、この受け部２は下筐体８２の背面に沿うように凹面状に形成されている。受け部２も後ろ側が前側よりも高くなるよう設けられている。
【００２９】
この受け部２には下筐体８２の背面が対面した状態で下筐体８２の背面が受けられ、携帯端末機８０が下筐体８２の背面を下に向けて倒伏した状態で受け部２に載置される。携帯端末機８０が受け部２に載置された状態では、携帯端末機８０のヒンジ部８３が後ろ側になり、下筐体８２の下部が手前側になり、携帯端末機８０が後傾した状態となっている。
【００３０】
受け部２の前側縁部には、爪状の係止部３，４が後ろへ突出するよう形成されている。係止部３，４は係止凹部９２，９３にそれぞれ対応し、間隔をあけて左右に並んでいる。携帯端末機８０が受け部２に載置された状態では、係止部３が係止凹部９２に係止し、係止部４が係止凹部９３に係止する。
【００３１】
係止部３の後方においては、前後方向に長尺な突条５が受け部２から突出するよう形成され、係止部４の後方においては、前後方向に長尺な突条６が受け部２から突出するよう形成されている。携帯端末機８０が受け部２に載置された状態では、突条５，６が下筐体８２の背面に当接している。
【００３２】
突条５、６のそれぞれのすぐ後ろには、充電用端子７，８が凸設されている。充電用端子７，８は、弾性的に押動可能となっており、自然状態では受け部２から上に突出し、押下されると受け部２から下に引き込む。携帯端末機８０が受け部２に載置された状態では、充電用端子７，８が携帯端末機８０の端子８７，８８にそれぞれ当接する。
【００３３】
受け部２の後ろ側縁部には、係止爪部材１１が設けられている。この係止爪部材１１は台本体１５の内部から上に突出し、係止爪部材１１の先端部には前方へ突出した爪１１ａが形成されている。係止爪部材１１の他端部は左右方向の軸回りに回動可能となって台本体１５に取り付けられている。台本体１５の内部に巻きバネ１２が設けられ、この巻きバネ１２によって係止爪部材１１が前方へ付勢されている。携帯端末機８０が受け部２に載置された場合、係止爪部材１１が軸受収納部８９に挿入され、係止爪部材１１の爪１１ａが係止溝９１に係止する。
【００３４】
係止爪部材１１の左方には、規制部としてのストッパ９が形成され、係止爪部材１１の右方には、規制部としてのストッパ１０が形成されている。ストッパ９，１０は、筐体８１を閉じた状態と全開した状態の間の半開状態で上筐体８１の開きを規制するものである。
【００３５】
ストッパ９，１０は受け部２の後ろ側縁部において上に突出しており、左右方向に見た場合三角形状を呈している。ストッパ９，１０の後ろ側傾斜面９ａ，１０ａにはそれぞれ、ゴム弾性のクッション材１７，１８が設けられている。側面視した場合、ストッパ９，１０の後ろ側傾斜面９ａ，１０ａは係止爪部材１１よりも後方にある。携帯端末機８０が受け部２に載置された場合、ストッパ９，１０の上部が軸受収納部８９の隙間９５に挿入され、ストッパ９，１０の前側傾斜面９ｂ，１０ｂが軸受収納部８９の縁に当接する。
【００３６】
受け部２であってストッパ９，１０の前には、押動可能な押スイッチ１３，１４が設けられている。押スイッチ１３，１４が押されると、充電用端子７，８に通電されて充電が可能な状態になり、押スイッチ１３，１４の押下が解除されると、充電用端子７，８に対する通電が遮断されて充電が不可能な状態になる。なお、携帯端末機８０が受け部２に載置されると、下筐体８２の背面によって押スイッチ１３，１４が押される。
【００３７】
台本体１５の底面には、凹部２１が凹設され、更に溝２２が凹部２１に連続して形成されている。凹部２１は台本体１５の底面のうち前後中央部から後ろにかけて形成されている。凹部２１は下から見た場合に扇形状を呈しており、扇形の弧となる部分が後ろ側となり、扇形の弦となる部分が前側になる。
【００３８】
溝２２は、扇形の弧となる凹部２１の側壁面２３から台本体１５の外面まで通じている。扇形の弦となる凹部２１の側壁面２４には、雌型の電源コネクタ２５が設けられ、電源コネクタ２５と溝２２が相対している。この電源コネクタ２５は押スイッチ１３，１４を介して充電用端子７，８に電気的に接続されている。
【００３９】
電源コネクタ２５には充電アダプタの雄型コネクタが嵌め込まれ、この雄型コネクタに接続されている配線が溝２２に通されている。雄型コネクタはコネクタ２５に対して着脱可能となっている。
【００４０】
台本体１５の底面であって凹部２１の後方には、二つの脚部２６が下に突出するよう形成されている。これら脚部２６は溝２２を挟んで左右にあり、凹部２１の縁に沿うように形成されている。台本体１５の底面であって凹部２１の前方には、ゴム状の二つの脚部２８が下に突出するよう設けられている。
【００４１】
凹部２１の底には複数の通気孔３０が形成されている。これら通気孔３０は凹部２１の底から反対側の受け部２にまで貫通している。これら通気孔３０が受け部２の中央部において左右方向に長尺な長楕円状に分布している。
【００４２】
このクレードル装置１を用いる場合には、台本体１５の底面を下にして、台本体１５を卓上等の載置面に載置する。脚部２６，２８によって台本体１５が支持され、台本体１５の底面が載置面に対して浮いた状態となる。そのため、凹部２１が閉塞されない。
【００４３】
上を向いた受け部２に携帯端末機８０を載置する場合には、下筐体８２の背面を下にして、更にヒンジ部８３を後ろ側にする。係止凹部９２，９３に係止部３，４を係止させ、携帯端末機８０のヒンジ部８３側を受け部２に向けて押す。すると、係止爪部材１１が巻きバネ１２に抗して後ろへ回動し、軸受収納部８９の縁がストッパ９，１０の前側傾斜面９ｂ，１０ｂに当接し、巻きバネ１２の付勢力により係止爪部材１１の爪が係止溝９１に係止する。これにより、携帯端末機８０が受け部２に載置されるが、携帯端末機８０が係止部３，４、突条５，６、ストッパ９，１０及び係止爪部材１１によって支持され、下筐体８２の背面が受け部２に対して浮いた状態となっている。また、押スイッチ１３，１４が下筐体８２の背面によって押された状態となっている。
【００４４】
なお、下筐体８２の背面を下にして、更にヒンジ部８３を後ろ側にして、携帯端末機８０を受け部２の上で放すだけでも、携帯端末機８０が受け部２に載置される。この場合、受け部２の後ろ側が高く設けられているから、携帯端末機８０が自重により前に滑って、係止凹部９２，９３に係止部３，４が自然に係止し、係止爪部材１１が自然に係止溝９１に係止する。
【００４５】
図６〜図７に示すように、携帯端末機８０を受け部２に載置した状態でも、上筐体８１を下筐体８２に対して回動し、上筐体８１を開閉することができる。図６に示すように上筐体８１を閉じた状態から図７に示すように上筐体８１を開くと、軸受収納部８９の隙間９５が狭まる。そして、軸受部９０の外面がストッパ９，１０の後ろ側傾斜面９ａ，１０ａのクッション材１７，１８に当接することによって、上筐体８１の開きが半開状態で規制され、上筐体８１がそれ以上開かなくなる。
【００４６】
この状態では、上筐体８１の前面と下筐体８２の前面とのなす内角が全開した状態よりも小さな角度となっており、下筐体８２がその背面を下にして倒伏した状態であっても、上筐体８１が下筐体８２に対して後傾した状態で起立している。そのため、上筐体８１の表示部８４が前に向き、下筐体８２の操作部８５が上に向いている。従って、卓上等にあるクレードル装置１に携帯端末機８０を載置した状態であっても、上筐体８１の表示部８４を正面から見ることができる。更に、表示部８４を正面から見た状態でも、キー操作部８５を操作しやすくなり、ユーザにとって自然な姿勢で携帯端末機８０を扱うことができる。なお、図６〜図７では、携帯端末機８０の側面とクレードル装置１の縦断面が示されている。
【００４７】
充電アダプタの雄型コネクタを電源コネクタ２５に嵌め込めば、受け部２に載置した状態で携帯端末機８０に充電することができる。携帯端末機８０の充電中や使用中に携帯端末機８０が発熱するが、複数の通気孔３０を通じて携帯端末機８０を空冷することができる。
【００４８】
なお、本発明は、上記各実施形態に限定されることなく、本発明の趣旨を逸脱しない範囲において、種々の改良並びに設計の変更を行っても良い。
【００４９】
例えば、上記実施形態では、係止爪部材１１が台本体１５に対して前後に回動し、巻きバネ１２によって前に付勢されているが、係止爪部材１１が台本体１５に対して固定されていても良い。この場合、受け部２に携帯端末機８０を載置する際に、係止爪部材１１が弾性変形することで、係止爪部材１１の係止爪１１ａが係止溝９１に係止する。
【図面の簡単な説明】
【００５０】
【図１】クレードル装置１及び携帯端末機８０を示した斜視図である。
【図２】携帯端末機８０の三面図である。
【図３】クレードル装置１の斜視図である。
【図４】クレードル装置１の斜視図である。
【図５】クレードル装置１の縦断面図である。
【図６】閉じた携帯端末機８０をクレードル装置１の台本体１５に載置した状態を示した図面である。
【図７】開いた携帯端末機８０をクレードル装置１の台本体１５に載置した状態を示した図面である。
【符号の説明】
【００５１】
１  クレードル
２  受け部
３、４  係止部
９、１０  ストッパ（規制部）
１１  係止爪部材（別の係止部）
１５  台本体
８０  携帯端末機
８１  上筐体
８２  下筐体
８３  ヒンジ部
８４  表示部
８５  キー操作部
９５  隙間
【図１】
2006148544.tif 000003
【図２】
2006148544.tif 000004
【図３】
2006148544.tif 000005
【図４】
2006148544.tif 000006
【図５】
2006148544.tif 000007
【図６】
2006148544.tif 000008
【図７】
2006148544.tif 000009